(57)【要約】【課題】簡単な構成で、車両の走行状態に応じて適切な配分での副駆動輪へのトルク伝達が可能となる四輪駆動車両のトルク伝達装置を提供する。【解決手段】駆動力伝達経路（２）におけるエンジン（３）と副駆動輪（Ｗ３，Ｗ４）との間に配置されたビスカスカップリング（１０）であって、車両の加速度又は走行勾配に応じてイナータ部材（２５）が軸方向に沿って移動することで、アウタープレート（１３）とインナープレート（１４）とのクリアランスが変化し、伝達トルク特性が変化するように構成した。これにより、部品点数を少なく抑えた簡単な構成で、かつ電子制御や手動操作などを行うことなく、登坂路の走行など副駆動輪（Ｗ３、Ｗ４）の駆動力を必要とする状況において、ビスカスカップリング（１０）の伝達トルクを一時的に上昇させることが可能となる。【選択図】図２
2014073714.tif 000002
【特許請求の範囲】
【請求項１】
駆動源からの駆動力を主駆動輪及び副駆動輪に伝達する駆動力伝達経路における前記駆動源と前記副駆動輪との間に配置されたトルク伝達装置であって、
前記駆動源と前記副駆動輪との間に設けた回転軸の前記駆動源側に接続されたハウジングと、
前記回転軸の前記副駆動輪側に接続された出力軸と、
前記出力軸の外周側で軸方向にのみ相対移動可能に設置された慣性質量を有するイナータ部材と、
前記ハウジングと前記イナータ部材との間に画成した粘性流体を充填してなる作動室と、を備え、
前記ハウジングに結合された複数のアウタープレートと前記イナータ部材に結合された複数のインナープレートを前記作動室内で前記回転軸の軸方向に沿って交互に配列した構成であり、
車両の加速度又は走行勾配に応じて前記イナータ部材が前記軸方向に移動することで、前記アウタープレートと前記インナープレートとのクリアランスが変化して、伝達トルク特性が変化するように構成した
ことを特徴とする四輪駆動車両のトルク伝達装置。
【請求項２】
前記イナータ部材を付勢する付勢手段を備え、
車両の加速度又は走行路の登坂勾配が所定以上になると、前記イナータ部材が前記付勢手段の付勢力に抗して車両の後側の作動位置へ移動して、前記アウタープレートと前記インナープレートに積層方向への押圧力を付与するように構成した
ことを特徴とする請求項１に記載の四輪駆動車両のトルク伝達装置。
【請求項３】
前記複数のインナープレートは、前記イナータ部材に係合しない第１インナープレートと、前記イナータ部材に係合する第２インナープレートとが交互に積層されており、
前記第１インナープレートと前記第２インナープレートとの間には、前記第１インナープレートと前記第２インナープレートを所定の摩擦力で摺接させる摩擦部材が介在しており、
前記第１インナープレートと前記第２インナープレートの差回転が大きくなる程、前記摩擦部材の摩擦力が大きくなるように設定されている
ことを特徴とする請求項１又は２に記載の四輪駆動車両のトルク伝達装置。
【請求項４】
前記摩擦部材は、前記第１インナープレートと前記第２インナープレートの内径側の端部又はその近傍に設置された環状の部材である
ことを特徴とする請求項３に記載の四輪駆動車両のトルク伝達装置。
【発明の詳細な説明】
【技術分野】
【０００１】
本発明は、四輪駆動車両における駆動源と副駆動輪との間に設置するビスカスカップリングなどのトルク伝達装置に関する。
【背景技術】
【０００２】
従来、駆動源からの駆動力を主駆動輪及び副駆動輪に伝達する四輪駆動車両では、駆動源と副駆動輪との間のプロペラシャフト上に配置したビスカスカップリング（ＶＣ）などのトルク伝達装置を備えるものがある。
【０００３】
このような四輪駆動車両では、主駆動輪と副駆動輪の車輪速差がプロペラシャフト上のビスカスカップリングに対する入力差回転数となり、四輪駆動トルク（４ＷＤトルク）を出力する構造である。すなわち、例えば、車両のフロント側にエンジン及びトランスミッションを配置し、前輪を主駆動輪とし後輪を副駆動輪とする前輪駆動車（ＦＦ車）では、車両が低摩擦抵抗（低μ）路面を走行中にドライバーがアクセルペダルを踏み込んだ場合、まず、前輪に駆動トルクが伝達される。そして、前輪が路面のグリップ限界を超えて空転するとビスカスカップリングに差回転が入力されて後輪に駆動トルクが伝達される。
【０００４】
上記のような四輪駆動車両では、通常走行時には、主駆動輪と副駆動輪の回転差によりビスカスカップリングに差回転が入力され続ける四輪駆動（４ＷＤ）状態である。しかしながら、車両の走行状態に関わらずこのような四輪駆動状態が継続すると、駆動伝達系における各部の損失や走行抵抗の増大による車両の燃費（燃料消費率）の悪化を招く一因となる。また、転舵旋回など前後輪差で発生する４ＷＤタイトターンブレーキング現象が顕著に出るため、車両の走行性能（走行商品性）の悪化も招くおそがある。さらには、低摩擦抵抗の路面でのＡＢＳ（Anti-lock Braking System）作動時のカスケードロックを誘発することでも知られている。
【０００５】
そこで、上記の各種問題に対する従来の手法として、車両の走行状態に応じてトルク伝達装置による副駆動輪へのトルク伝達量を可変する機構が採用されている。このような機構として、電気的にクラッチのオンオフ制御を行うもの（特許文献１）や、手動で異なるトルク特性のビスカスカップリングの切替を行うもの（特許文献２）や、ワンウェイクラッチで異なるトルク特性のビスカスカップリングの切替を行うもの（特許文献３）がある。
【０００６】
しかしながら、特許文献１乃至３に記載の従来技術は、対応する制御回路を備えた電子制御ユニット（ＥＣＵ）や、操作用のレバーなどの付帯物が必要となることで、車両の構造の複雑化や部品点数の増加、制御処理の煩雑化につながる。そのため、車両のコスト・重量・サイズ増を招くという問題がある。また、車速が所定以上の高速域では、ビスカスカップリングなどのトルク伝達装置による副駆動輪へのトルク伝達の必要性が減少するところ、電子制御により副駆動輪へのトルク伝達量を可変するもの以外は、高速域での伝達トルクを適切に低減することができない、という問題もある。
【先行技術文献】
【特許文献】
【０００７】
【特許文献１】特開２００９−１４４７７９号公報
【特許文献２】特開平３−２０１２５号公報
【特許文献３】実開平４−４５３７号公報
【発明の概要】
【発明が解決しようとする課題】
【０００８】
本発明は上述の点に鑑みてなされたものであり、その目的は、部品点数を少なく抑えた簡単な構成で、かつ電子制御や手動操作などを行うことなく、車両の走行状態に応じた適切な配分での副駆動輪へのトルク伝達が可能となる四輪駆動車両のトルク伝達装置を提供することにある。
【課題を解決するための手段】
【０００９】
本発明にかかる四輪駆動車両のトルク伝達装置は、駆動源（３）からの駆動力を主駆動輪（Ｗ１，Ｗ２）及び副駆動輪（Ｗ３，Ｗ４）に伝達する駆動力伝達経路（２）における前記駆動源（３）と前記副駆動輪（Ｗ３，Ｗ４）との間に配置されたトルク伝達装置（１０）であって、前記駆動源（３）と前記副駆動輪（Ｗ３，Ｗ４）との間に設けた回転軸（７）の前記駆動源（３）側に接続されたハウジング（１１）と、前記回転軸（７）の前記副駆動輪（Ｗ３，Ｗ４）側に接続された出力軸（１２）と、前記出力軸（１２）の外周側で軸方向にのみ相対移動可能に設置された慣性質量を有するイナータ部材（２５）と、前記ハウジング（１１）と前記イナータ部材（２５）との間に画成した粘性流体を充填してなる作動室（１６）と、を備え、前記ハウジング（１１）に結合された複数のアウタープレート（１３）と前記イナータ部材（２５）に結合された複数のインナープレート（１４）を前記作動室（１６）内で前記回転軸（７）の軸方向に沿って交互に配列した構成であり、車両の加速度又は走行勾配に応じて前記イナータ部材（２５）が前記軸方向に移動することで、前記アウタープレート（１３）と前記インナープレート（１４）とのクリアランスが変化して、伝達トルク特性が変化するように構成したことを特徴とする。
【００１０】
本発明にかかる四輪駆動車両のトルク伝達装置によれば、車両の加速度や傾斜角に応じた前後方向の慣性力がイナータ部材に作用することで、イナータ部材の移動によりアウタープレートとインナープレートとのクリアランスを変化させることで、伝達トルク特性を可変させることができる。これにより、副駆動輪の駆動力を必要とする状況においては、トルク伝達部の伝達トルクを一時的に上昇させることが可能であり、副駆動輪の駆動力を必要としない状況においては、トルク伝達部の伝達トルクを低下させることが可能となる。よって、部品点数を少なく抑えた簡単な構成で、かつ電子制御や手動操作などを行うことなく、車両の走行状態に応じた適切な配分での副駆動輪へのトルク伝達が可能となる。
【００１１】
また、上記のトルク伝達装置では、前記イナータ部材（２５）を付勢する付勢手段（２８）を備え、車両の加速度又は走行路の登坂勾配が所定以上になると、前記イナータ部材（２５）が前記付勢手段（２８）の付勢力に抗して車両の後側の作動位置へ移動して、前記アウタープレート（１３）と前記インナープレート（１４）に積層方向への押圧力を付与するように構成してよい。
【００１２】
これによれば、車両の急加速時や登坂路の走行時など副駆動輪の駆動力を必要とする状況においては、トルク伝達部の伝達トルクを上昇させることができるので、車両の走行性能（走破性）の向上を図ることができる。
【００１３】
また、上記のトルク伝達装置では、前記複数のインナープレート（１４）は、前記イナータ部材（２５）に係合しない第１インナープレート（１４ａ）と、前記イナータ部材（２５）に係合する第２インナープレート（１４ｂ）とが交互に積層されており、前記第１インナープレート（１４ａ）と前記第２インナープレート（１４ｂ）との間には、前記第１インナープレート（１４ａ）と前記第２インナープレート（１４ｂ）を所定の摩擦力で摺接させる摩擦部材（１７）が介在しており、前記第１インナープレート（１４ａ）と前記第２インナープレート（１４ｂ）の差回転が大きくなる程、前記摩擦部材（１７）の摩擦力が大きくなるように設定されていてよい。
【００１４】
この構成によれば、作動室内で粘性流体から第１インナープレートに伝達されるトルクは、摩擦部材を介して隣接する第２インナープレートに伝達され、該第２インナープレートを介してイナータ部材に伝達される。そして、第１インナープレートと第２インナープレートの差回転が大きくなる程、摩擦部材の摩擦力が大きくなるように設定されていることで、高差回転の領域では、トルク伝達装置の伝達トルクを大きくすることができ、低差回転の領域では、伝達トルクを小さくすることができる。したがって、車両の走行状態に応じた副駆動輪へのより適切なトルク配分が可能となる。
【００１５】
また、前記摩擦部材（１７）は、前記第１インナープレート（１４ａ）と前記第２インナープレート（１４ｂ）の内径側の端部又はその近傍に設置された環状の部材であってよい。第１インナープレートと第２インナープレートの内径側は、周速度（差回転）が比較的に小さいため、摩擦部材の摩擦力特性として低差回転の領域の特性を有効に利用することができる。また、摩擦部材にてインナープレートの内径側の位置決め（軸方向の位置決め）を行うことができる。
なお、上記で括弧内に記した参照符号は、後述する実施形態における対応する構成要素に付した符号を参考のために例示したものである。
【発明の効果】
【００１６】
本発明にかかる四輪駆動車両のトルク伝達装置によれば、部品点数を少なく抑えた簡単な構成で、かつ電子制御や手動操作などを行うことなく、車両の走行状態に応じた適切な配分での副駆動輪へのトルク伝達が可能となる。
【図面の簡単な説明】
【００１７】
【図１】本発明の実施形態にかかるトルク伝達装置（ビスカスカップリング）を備える四輪駆動車両の概略構成を示す図である。
【図２】第１実施形態にかかるビスカスカップリングを示す側断面図である。
【図３】インナープレートを示す図で、（ａ）は、第１インナープレートを示す図、（ｂ）は、第２インナープレートを示す図である。
【図４】フリクションリングの周速度（差回転）と摩擦係数（摩擦力）との関係を示すグラフである。
【図５】第１実施形態にかかるイナータ部材の動作を説明するための図で、（ａ）は、イナータ部材が非作動位置にある状態、（ｂ）は、イナータ部材が作動位置にある状態を示す図である。
【図６】ビスカスカップリングの差回転（ＶＣ差回転）と伝達トルク（ＶＣトルク）との関係を示すグラフである。
【図７】本発明の第２実施形態にかかるビスカスカップリングを示す側断面図である。
【図８】第２実施形態にかかるイナータ部材の動作を説明するための図で、（ａ）は、イナータ部材が非作動位置にある状態、（ｂ）は、イナータ部材が作動位置にある状態を示す図である。
【図９】粘性流体のせん断速度と動粘度との関係を示すグラフである。
【図１０】ビスカスカップリングの入出力差回転と伝達トルクの関係を示すグラフである。
【発明を実施するための形態】
【００１８】
以下、添付図面を参照して本発明の実施形態を詳細に説明する。
〔第１実施形態〕
図１は、本発明の一実施形態にかかるトルク伝達装置を備えた四輪駆動車両の概略構成を示す図である。同図に示す四輪駆動車両１は、車両の前部に横置きに搭載したエンジン（駆動源）３と、エンジン３と一体に設置したトランスミッション（変速機）４と、エンジン３からの駆動力を前輪Ｗ１，Ｗ２及び後輪Ｗ３，Ｗ４に伝達するための駆動力伝達経路２とを備えている。
【００１９】
エンジン３の出力軸（図示せず）は、トランスミッション４、フロントディファレンシャル（以下「フロントデフ」という）５、左右のフロントドライブシャフト６，６を介して、主駆動輪である左右の前輪Ｗ１，Ｗ２に連結されている。さらに、エンジン３の出力軸は、トランスミッション４、フロントデフ５、プロペラシャフト７、リアデファレンシャル（以下「リアデフ」という）８、左右のリアドライブシャフト９，９を介して副駆動輪である左右の後輪Ｗ３，Ｗ４に連結されている。なお、以下の説明で軸方向というときは、車両の進行方向（前後方向）に沿って延伸するプロペラシャフト７の軸方向を指すものとする。また、前又は後というときは、当該軸方向の前（車両の前進方向）及び後（後進方向）を指すものとする。
【００２０】
プロペラシャフト７上には、フロントデフ５からリアデフ８への駆動力伝達経路２上に配置したビスカスカップリング（トルク伝達装置）１０が設けられている。ビスカスカップリング１０は、駆動力伝達経路２において後輪Ｗ３，Ｗ４に配分するトルクを制御するための回転差応動型のトルク伝達装置である。
【００２１】
図２は、ビスカスカップリング１０を示す側断面図である。同図に示すように、ビスカスカップリング１０は、前側のプロペラシャフト７ａ（図１参照）と一体に回転する筒状のハウジング１１と、ハウジング１１内において該ハウジング１１と同一軸線回りで後側のプロペラシャフト７ｂ（図１参照）と一体に回転する出力軸１２と、出力軸１２の外周に設置したイナータ部材２５と、ハウジング１１における筒状部１１ａの内周面に所定間隔で相対回転不能に係合する複数のアウタープレート（第１プレート部材）１３と、イナータ部材２５の外周面に所定間隔で相対回転不能に係合し、アウタープレート１３と軸方向に交互に配置される複数のインナープレート（第２プレート部材）１４（１４ａ，１４ｂ）と、ハウジング１１と出力軸１２との間を閉塞するカバー部材１５と、ハウジング１１とイナータ部材２５との間に画成された作動室１６とを備える。作動室１６内には、シリコーンオイルなどの粘性流体が充填されていると共に、上記複数のアウタープレート１３と、複数のインナープレート１４とが軸方向に沿って交互に積層されている。
【００２２】
また、ハウジング１１における前壁１１ａの内周面と出力軸１２の外周面との間には、それらの隙間をシールするシール部材２０が設置されている。また、出力軸１２の外周面とカバー部材１５の内周面との間には、それらの隙間をシールするシール部材２１が設置されている。また、ハウジング１１の内周面とカバー部材１５の外周面との間には、それらの隙間をシールするシール部材２２が設置されている。また、ハウジング１１の内周面と出力軸１２の外周面との間には、軸受２３が介装されている。
【００２３】
イナータ部材２５は、出力軸１２の外周面にスプライン嵌合する円筒状の部材である。イナータ部材２５は、出力軸１２の外周面に沿って軸方向にのみ摺動可能（回転方向には相対移動不能）となっている。また、イナータ部材２５の前端部の内周面には、内径側へ突出する突起状の爪部２５ａが形成されている。
【００２４】
また、イナータ部材２５とハウジング１１の前壁１１ａとの間には、セットスプリング（付勢手段）２８が介在している。セットスプリング２８は、出力軸１２の軸方向に沿って延伸する弾性金属製のコイルバネであり、イナータ部材２５をハウジング１１の前壁１１ａ側の位置（以下、この位置を「非作動位置」という。）へ付勢している。そして、車両の加速度又は走行路の登坂勾配が所定以上になると、イナータ部材２５に車両の後側への慣性力が作用することで、イナータ部材２５がセットスプリング２８の付勢力（引張力）に抗して後側の位置（以下、この位置を「作動位置」という。）に向かって移動する。これにより、イナータ部材２５の爪部２５ａを介してインナープレート１４に積層方向への押圧力が付与されるように構成している。すなわち、イナータ部材２５の爪部２５ａがインナープレート１４の内径端に引っ掛かることで、セットスプリング２８による軸方向の荷重がインナープレート１４に作用し、インナープレート１４とアウタープレート１３のクリアランスが狭まる。したがって、ビスカスカップリング１０の伝達トルク特性が変化する。
【００２５】
図３は、インナープレート１４を示す図で、（ａ）は、第１インナープレート１４ａを示す図、（ｂ）は、第２インナープレート１４ｂを示す図である。インナープレート１４は、内周の歯部を全て欠歯した第１インナープレート１４ａと、内周の歯部１４ｃを欠歯していない第２インナープレート１４ｂとを含み、これら第１インナープレート１４ａと第２インナープレート１４ｂを軸方向に沿って交互に配列している（図２参照）。第２インナープレート１４ｂは、歯部１４ｃによってイナータ部材２５の外周面に係合（スプライン係合）しており、第１インナープレート１４ａは、イナータ部材２５の外周面に係合しておらず、イナータ部材２５とは分離した状態（相対回転可能な状態）で設置されている。
【００２６】
また、図２に示すように、第１インナープレート１４ａと第２インナープレート１４ｂとの隙間（軸方向の隙間）には、フリクションリング（摩擦部材）１７が設置されている。フリクションリング１７は、インナープレート１４の内径端またはその近傍に対応する位置に設置されている。フリクションリング１７は、第１インナープレート１４ａ及び第２インナープレート１４ｂに対して所定の摩擦力を有する状態で当接している。フリクションリング１７は、インナープレート１４間の位置決め（軸方向の位置決め）を行う機能も兼ね備えている。
【００２７】
図４は、フリクションリング１７の周速度（インナープレート１４との差回転）と摩擦係数（摩擦力）との関係を示すグラフである。図４のグラフに示すように、フリクションリング１７は、インナープレート１４との摩擦係数が、インナープレート１４との差回転、すなわちビスカスカップリング１０の差動（差回転）に応じて次第に増加する特性に設定されている。したがって、低差回転の領域（図中のＡ領域）では、フリクションリング１７の摩擦係数が小さく、インナープレート１４との間でスリップが生じるために、第１インナープレート１４ａから第２インナープレート１４ｂへの伝達トルク小さくなる。その一方で、高差回転の領域（図中のＢ領域）では、フリクションリング１７の摩擦係数が大きいために、第１インナープレート１４ａから第２インナープレート１４ｂへの伝達トルクが大きくなる。
【００２８】
そして、上記の摩擦特性を利用して、第１インナープレート１４ａの粘性流体に対するせん断トルクを第２インナープレート１４ｂに伝達するように構成している。また、既述のように、フリクションリング１７は、インナープレート１４の内径端の近傍に対応する位置に設置されている。これにより、インナープレート１４の周速度（回転速度）の低い領域の摩擦力を有効に利用できるようにしている。
【００２９】
次に、上記構成のビスカスカップリング１０の動作について説明する。図１に示すエンジン３から出力されたトルクがトランスミッション４を介してフロントデフ５に伝達される。フロントデフ５に伝達されたトルクの一部は、フロントドライブシャフト６，６を介して前輪Ｗ１，Ｗ２に伝達され、前輪Ｗ１，Ｗ２の駆動力により車両が走行する。また、フロントデフ５に伝達されたトルクの一部はプロペラシャフト７に伝達される。プロペラシャフト７に伝達されたトルクは、ビスカスカップリング１０のハウジング１１に伝達される。
【００３０】
車両１の走行中は、後輪Ｗ３，Ｗ４から入力されるトルクが、リアデフ８を介して出力軸１２に伝達される。そして、ハウジング１１の回転数と出力軸１２の回転数とが等しい場合は、アウタープレート１３の回転数とインナープレート１４の回転数が等しく、プロペラシャフト７のトルクは後輪Ｗ３，Ｗ４に伝達されない。これにより、車両は二輪駆動（前輪駆動）により走行する。
【００３１】
一方、前輪Ｗ１，Ｗ２がスリップしてハウジング１１と出力軸１２に差回転が生じた場合は、作動室１６内のアウタープレート１３とインナープレート１４とに差回転が生じ、その差回転に応じて作動室１６内の粘性流体にせん断力が発生する。このせん断力により、プロペラシャフト７からハウジング１１に伝達されたトルクが出力軸１２に伝達されるとともに、リアデフ８を介して後輪Ｗ３，Ｗ４に伝達される。これにより、車両は四輪駆動状態になる。
【００３２】
図５は、ビスカスカップリング１０におけるイナータ部材２５の動作を説明するための図で、（ａ）は、イナータ部材２５が非作動位置にある状態、（ｂ）は、イナータ部材２５が作動位置にある状態を示す図である。なお、図５には、ビスカスカップリング１０のトルク伝達経路を一点鎖線で示している。車両が平地路面（勾配が無いか極めて小さい路面をいう、以下同じ。）を走行している場合や、加速・減速状態以外の場合には、車両の慣性力が所定以下となる通常の走行状態である。このような通常の走行状態では、イナータ部材２５に車両の進行方向（前後方向）の慣性力が作用しないか又は作用する慣性力が小さい。そのためこの状態では、図５（ａ）に示すように、イナータ部材２５は、前側の非作動位置にあり、インナープレート１４、アウタープレート１３及びフリクションリング１７に押圧力を付与していない状態である。したがって、インナープレート１４とアウタープレート１３のクリアランスが狭められていない状態である。
【００３３】
その一方で、車両が勾配路を走行している場合や加速状態の場合には、イナータ部材２５に車両の進行方向で後向きの慣性力が作用する。そのため、図５（ｂ）に示すように、イナータ部材２５は、セットスプリング２８の付勢力（引張力）に抗して後側の作動位置へ移動することで、インナープレート１４及びフリクションリング１７に押圧力を付与する状態となる。これにより、インナープレート１４とアウタープレート１３のクリアランスが狭められた状態となる。
【００３４】
図６は、ビスカスカップリング１０の差回転（ＶＣ差回転）と伝達トルク（ＶＣトルク）との関係を示すグラフである。フリクションリング１７の摩擦による拘束力で、ビスカスカップリング１０の伝達トルク特性は、図６に示すような拘束力が最少（零）のときの最少トルクラインＬ１と拘束力が最大のときの最大トルクラインＬ２との間のトルク特性となる。これにより、従来のビスカスカップリングで発生していた低差回転でのタイトターンブレーキング現象を回避しながらも、雪上登坂に必要なトルクを確保することが可能となる。
【００３５】
このトルク特性は、フリクションリング１７の作用により可能となる。すなわち、低差回転では、アウタープレート１３から回転が入力して、粘性流体の抵抗（粘性抵抗）で第１インナープレート１４ａが回転するが、図４に示すように、低差回転領域での摩擦力は極めて小さいため、第１インナープレート１４ａから第２インナープレート１４ｂへのトルク伝達量が僅かな量に制限される。これにより、ビスカスカップリング１０の伝達トルクは、最大発生トルクの約半分程度となる。
【００３６】
その一方で、高差回転ではフリクションリング１７の摩擦力が十分に高まり、第１インナープレート１４ａから第２インナープレート１４ｂへのトルク伝達量が増加する。これにより、ビスカスカップリング１０の伝達トルク特性が最大トルクラインＬ２に近づく。さらに、イナータ部材２５が作用してフリクションリング１７への押付力が変化することで、フリクションリング１７の摩擦力を可変することができる。そのため、車両の走行状況により、ビスカスカップリング１０の伝達トルクが図６に示す最少トルクラインＬ１と最大トルクラインＬ２との間を変化しながらの走行が可能となる。
【００３７】
以下、車両の走行路の状況におけるイナータ部材２５の作動条件について説明する。
（１）乾燥路及び雪上での走行時
乾燥路及び雪上での通常走行時には、車両の加速度が低く傾斜角も小さいため、ビスカスカップリング１０の伝達トルク特性は、ベーストルク特性ＬＢ（図６参照）となる。一方、乾燥路及び雪上での登坂走行時及び急加速時は、イナータ部材２５にかかる慣性力でイナータ部材２５が作動位置へ移動することで、ビスカスカップリング１０の伝達トルクが上昇し、前輪Ｗ１，Ｗ２と後輪Ｗ３，Ｗ４のトルク配分の最適化が図られることで、車両の走破性の確保が可能である。
【００３８】
（２）前後スプリットμ路での発進時
前後スプリットμ路（前輪Ｗ１，Ｗ２が踏む路面の摩擦係数が後輪Ｗ３，Ｗ４が踏む路面の摩擦係数よりも小さい路面をいう。）での発進時、特に、前輪Ｗ１、Ｗ２が低μ（低摩擦係数）路面にあるときの急発進では、ビスカスカップリング１０に最も高い差動回転が入力して発生トルクが過大となる。しかしながら、車両の前後加速度が小さいため、イナータ部材２５にかかる慣性力は小さい。そのため、ビスカスカップリング１０の伝達トルクは、最大トルクラインＬ２（図６参照）には至らず、過大トルクの発生を抑制できる。したがって、リアデフ８の保障強度を下げることができる。
【００３９】
（３）低μ路でのブレーキング時
低μ路（比較的に低摩擦係数の路面をいう。）での走行中のブレーキング時には、前輪Ｗ１，Ｗ２の回転数の大幅な低下（落ち込み）による減速トルクが大きくなる。そして、従来のビスカスカップリングでは、後輪Ｗ３、Ｗ４の回転数が前輪Ｗ１，Ｗ２の回転数に同期して落ち込むことでカスケードロックを誘発する可能性が高い。これに対して、本実施形態のビスカスカップリング１０では、イナータ部材２５の減速側の慣性力がセットスプリング２８の荷重（セット荷重）に対抗するように作用するため、プレート１３，１４への押付力が低減してベーストルク特性ＬＢに対して更にトルク低減が可能となり、前後輪の締結力を弱めることができる。これにより、カスケードロックを防止でき、ＡＢＳ制御干渉も抑制することが可能となる。
【００４０】
（４）タイトターンブレーキング時
従来のビスカスカップリングを備えた四輪駆動車両では、転舵時の前後車輪旋回半径差で前後差回転が発生するため、副駆動輪の駆動トルク（４ＷＤトルク）で車両が引き摺られるタイトターンブレーキング現象が起こる。このタイトターンブレーキング現象は、アクセルオフの際などに減速感を顕著に伴う事象である。これに対して、本実施形態のビスカスカップリング１０を備えた四輪駆動車両では、図６に示すように、低差回転ではフリクションリング１７の摩擦力は僅かであるため、最少トルクラインＬ１の近傍まで伝達トルクが低減する。これにより、車両の引き摺りトルクを抑制することができ、良好な走行感覚を得ることができる。また、転舵初期に引き摺りトルクによる減速加速度が発生したとしても、イナータ部材２５の作用により発生トルクが低減するため、瞬時に減速加速度の緩和が可能となる。
【００４１】
以上説明したように、本実施形態の四輪駆動車両が備えるビスカスカップリング１０では、車両の加速度や傾斜角に応じた前後方向の慣性力がイナータ部材２５に作用することで、イナータ部材２５の移動によってビスカスカップリング１０のアウタープレート１３とインナープレート１４のクリアランスを変化させることができる。したがって、ビスカスカップリング１０の伝達トルク特性を可変させることができる。これにより、例えば、登坂路の走行など後輪（副駆動輪）Ｗ３，Ｗ４の駆動力を必要とする状況において、ビスカスカップリング１０の伝達トルクを一時的に上昇させることが可能である。したがって、部品点数を少なく抑えた簡単な構成で、かつ電子制御や手動操作などを行うことなく、車両の走行状態に応じた後輪（副駆動輪）Ｗ３，Ｗ４への適切なトルク伝達が可能となる。
【００４２】
〔第２実施形態〕
次に、本発明の第２実施形態にかかる四輪駆動車両のトルク伝達装置について説明する。なお、第２実施形態の説明及び対応する図面においては、第１実施形態と同一又は相当する構成部分には同一の符号を付し、以下ではその部分の詳細な説明は省略する。また、以下で説明する事項以外の事項、及び図示する以外の事項については、第１実施形態と同じである。
【００４３】
図７は、本発明の第２実施形態にかかるビスカスカップリング１０−２を示す側断面図である。本実施形態のビスカスカップリング１０−２では、すべてのインナープレート１４−２がイナータ部材２５−２の外周面にスプライン係合している。そして、インナープレート１４−２の外径端にセットリング１８を係合させている。セットリング１８は、断面が略円形のリング状の部材であって、その幅方向の両側にアウタープレート１３−２を当接させている。これにより、インナープレート１４−２とアウタープレート１３−２の外径側のクリアランスを一定（均一）に保つように構成している。
【００４４】
インナープレート１４−２とイナータ部材２５−２、及びイナータ部材２５−２とインナーシャフト１２は、スプライン係合している。これにより、インナープレート１４−２とイナータ部材２５−２、及びイナータ部材２５−２とインナーシャフト１２は、軸方向にのみ相対移動可能である。したがって、イナータ部材２５−２の軸方向の摺動時にも回転方向のトルク伝達を可能としている。また、イナータ部材２５−２の後端部とカバー部材１５との間には、リターンスプリング（付勢部材）２８−２が介在している。
【００４５】
図８は、ビスカスカップリング１０−２におけるイナータ部材２５−２の動作を説明するための図で、（ａ）は、イナータ部材２５−２が非作動位置にある状態、（ｂ）は、イナータ部材２５−２が作動位置にある状態を示す図である。車両の慣性力が所定以下となる通常の走行状態では、イナータ部材２５−２に車両の進行方向（前後方向）の慣性力が作用しないか又は作用する慣性力が小さい。そのため、この状態では、図８（ａ）に示すように、イナータ部材２５−２は、セットスプリング２８−２の付勢力（押圧力）で前側の非作動位置にあり、インナープレート１４−２及びアウタープレート１３−２の内径側のクリアランスが狭められていない状態である。
【００４６】
その一方で、車両が勾配路を走行している場合や加速状態の場合には、イナータ部材２５−２に車両の進行方向で後向きの慣性力が作用する。そのため、図８（ｂ）に示すように、イナータ部材２５−２は、セットスプリング２８−２の付勢力（押圧力）に抗して後側の作動位置へ移動することで、インナープレート１４−２の内径側が車両の後側へ移動する。また、イナータ部材２５−２の爪部２５−２ａがアウタープレート１３−２の内径端に係合する。これらによって、アウタープレート１３−２とインナープレート１４−２の内径側のクリアランスが狭められた状態となる。
【００４７】
次に、ビスカスカップリング１０−２が伝達するトルク特性について説明する。図９は、作動室１６に充填するシリコーンオイル（粘性流体）のせん断速度と動粘度との関係を示す図である。また、図１０は、ビスカスカップリング１０−２の入出力差回転と伝達トルクの関係を示すグラフである。図９に示すように、作動室１６に封入する粘性流体にシリコーンオイルを使用したビスカスカップリングでは、シリコーンオイルのせん断速度による動粘度が非ニュートン粘性のため、ビスカスカップリングの差回転に対する出力トルクの特性が線形にならないことで知られている。これは、静粘度が高いシリコーンオイル程、差回転に対する動粘度が低下し、合わせてトルク上昇も小さくなる現象である。すなわち、図９のグラフに示すように、静粘度（せん断速度０での動粘度）が高いシリコーンオイルの特性（一点鎖線で示す特性）では、せん断速度が高くなるにつれて動粘度が低下する傾向を有する。これに対して、静粘度（せん断速度０での動粘度）が低いシリコーンオイルの特性（実線で示す特性）では、せん断速度が変化しても動粘度がほぼ一定の傾向を有している。
【００４８】
なお、ビスカスカップリングの入力差回転に対する発生トルクを線形に近づける手法として、低粘度オイルに対してプレート枚数の増加で出力トルクを確保する手法が挙げられる。しかしながら、その手法では、ビスカスカップリングの重量増加及びユニットサイズの拡大などを招いてしまう。
【００４９】
そこで、本実施形態のビスカスカップリング１０−２では、せん断速度の速いプレート１３−２，１４−２の外径側のクリアランスをより大きな寸法に設定することで、速度勾配の増加を抑制する一方、せん断速度の低いプレート１３−２，１４−２の内径側のクリアランスはより小さな寸法に設定することで、速度勾配を高めて高トルクを発生するように構成している。これにより、動粘度の良好な特性領域を使用することで、線型性のトルク特性、かつ高トルク特性（同じ作動室１６の容積で比較した場合により高いトルク特性）を得ることができる。よって、粘性流体として高粘度の作動油を用いてビスカスカップリング１０−２の小型化・軽量化を図る場合でも、ニュートン粘性領域を使用可能となる。また、プレート１３−２，１４−２の内径側のクリアランスを外径側のクリアランスと同等の寸法に設定した場合は、内径側のプレート１３，１４間の速度勾配が低下することで、全差動域のトルクを低減できる。そのため、定常使用での走行抵抗低減やタイトターンブレーキ現象の抑制が可能となる。
【００５０】
イナータ部材２５−２は、加速度や傾斜角による慣性力が作用して、当該慣性力がセットスプリング２８−２の荷重（セット荷重）を超えた場合に作動位置へ移動する。これにより、各プレート１３−２，１４−２の内径側のクリアランスを変化させ、ビスカスカップリング１０の伝達トルクを可変することが可能となる。一方、イナータ部材２５−２がセットスプリング２８−２の作用で元の位置（非作動位置）へ復帰した後は、粘性流体の流動でプレート１３−２，１４−２間のクリアランスは均一化されるため、ビスカスカップリング１０−２の伝達トルク特性は定常時のトルク特性に戻る。
【００５１】
つまり、図１０に示すように、登坂など後輪（副駆動輪）Ｗ３，Ｗ４の駆動力を必要とする走行状況にて、ビスカスカップリング１０−２の伝達トルク特性を定常時のトルク特性Ｓ１からイナータ部材２５−２の作動時のトルク特性Ｓ２へ向けて一時的に上げることが可能となる。その後、定常状態や平坦路での走行になった場合には、イナータ部材２５−２にかかる加速側の慣性力による軸方向の力が弱まるため、リターンスプリング２８による復元力、もしくは減速側の加速度による慣性力でイナータ部材２５−２が非作動位置へ押し戻される。これにより、ビスカスカップリング１０−２の伝達トルク特性も定常状態となる。
【００５２】
次に、走行路の状態に応じたイナータ部材の作動条件について説明する。
（１）乾燥路及び雪上での走行時
乾燥路及び雪上での通常走行時には、加速度が低く傾斜角も小さいため、ビスカスカップリング１０−２の伝達トルク特性は、定常時のトルク特性Ｓ１となる。一方、乾燥路及び雪上での登坂走行時及び急加速時は、イナータ部材２５−２にかかる慣性力による作用でイナータ部材２５−２が作動位置へ移動することで、ビスカスカップリング１０−２の伝達トルクが作動時のトルク特性Ｓ２に向けて上昇する。これにより、前輪Ｗ１，Ｗ２と後輪Ｗ３，Ｗ４のトルク配分の最適化が図られることで、車両の走破性の確保が可能である。
【００５３】
（２）前後スプリットμ路での発進時
駆動輪が低μ路面にある状態での急発進では、ビスカスカップリング１０に高い差回転が入力されて発生トルクが過大となる。しかしながら、前後加速度が小さくイナータ部材２５−２は作動位置へ移動しないため、ビスカスカップリング１０の伝達トルク特性は、定常時のトルク特性Ｓ１のままである。したがって、過大トルク発生を抑制でき、リアデフ８の保障強度を下げることができる。
【００５４】
（３）低μ路でのブレーキング時
低μ路面でのブレーキング時には、イナータ部材２５−２の慣性力が減速側差動に抵抗するよう作用するため、定常時のトルク特性Ｓ１に対して更に減速トルクの低減が可能となる。これにより、カスケードロックを防止できる。また、減速側の加速度によりイナータ部材２５−２が非作動位置へ復帰するため、車両の加速中であっても瞬時に定常時のトルク特性Ｓ１への低減が可能である。
【００５５】
（４）タイトターンブレーキング時
低μ路での走行中のブレーキング時には、車量の減速に対してイナータ部材２５−２の慣性力（回転方向の慣性力）が作用することで、イナータ部材２５−２が回転を継続しようとする。そのため、車両の減速加速度の緩和が可能となる。また、ブレーキング時と同様に、ビスカスカップリングのトルク特性は定常時のトルク特性Ｓ１の状態である。そのため、後輪Ｗ３，Ｗ４の引き摺りトルクを低減できる。
【００５６】
以上、本発明の実施形態を説明したが、本発明は上記実施形態に限定されるものではなく、特許請求の範囲、及び明細書と図面に記載された技術的思想の範囲内において種々の変形が可能である。例えば、本発明にかかるトルク伝達装置が備えるイナータ部材は、車両の加速度や傾斜角又は回転軸の回転速度の変化に応じてトルク伝達装置のトルク特性を変化させることが可能な構成であれば、その具体的な形状等は、上記実施形態に示すものには限定されず、他の形状等であってもよい。
【００５７】
また、ビスカスカップリング１０（１０−２）の伝達トルク特性を一定にするのであれば、必ずしも上記実施形態に示したように車両の慣性力に応じてイナータ部材２５（２５−２）が前後方向へ移動する構成を採用する必要は無く、セットスプリング２８（２８−２）の付勢力によってイナータ部材２５（２５−２）を一定荷重でセットするのみでよい。
【符号の説明】
【００５８】
１    車両
２    駆動力伝達経路
３    エンジン
４    トランスミッション
５    フロントデフ
６，６    フロントドライブシャフト
７    プロペラシャフト（回転軸）
８    リアデフ
９，９    リアドライブシャフト
１０    ビスカスカップリング（トルク伝達装置）
１１    ハウジング
１２    出力軸
１３    アウタープレート
１４    インナープレート
１４ａ    第１インナープレート
１４ｂ    第２インナープレート
１４ｃ    歯部
１５    カバー部材
１６    作動室
１７    フリクションリング（摩擦部材）
１８    セットリング
２５    イナータ部材
２５ａ    爪部
２８    セットスプリング（付勢手段）
Ｗ１，Ｗ２    前輪（主駆動輪）
Ｗ３，Ｗ４    後輪（副駆動輪）
【図１】
2014073714.tif 000003
【図２】
2014073714.tif 000004
【図３】
2014073714.tif 000005
【図４】
2014073714.tif 000006
【図５】
2014073714.tif 000007
【図６】
2014073714.tif 000008
【図７】
2014073714.tif 000009
【図８】
2014073714.tif 000010
【図９】
2014073714.tif 000011
【図１０】
2014073714.tif 000012